(57)【要約】【課題】  感染予防というマスク本来の機能を阻害することなく、着用したままで水分補給を可能とするマスクを提供する。【解決手段】  着用者の口および鼻を覆う本体部１０と本体部１０に接続された耳掛け部１１とを備えたマスクにおいて、本体部１０がストローを挿入し得るスリット１２と、スリット１２を塞ぐ遮蔽部１３とを備え、スリット１２は、着用者がマスク１を着用したときに着用者の口と対向又は近接する位置に設けられ、遮蔽部１３はスリット１２の上側からスリット１２に覆い被さり直接外気に触れないように本体部１０に一体に形成されている。【選択図】図１
0003227801.tif 000002
【実用新案登録請求の範囲】
【請求項１】
着用者の口および鼻を覆う本体部と、前記本体部に接続された耳掛け部と、を備えたマスクにおいて、
前記本体部が、ストローを挿入し得るスリットと、前記スリットを塞ぐ遮蔽部と、を備えることを特徴とするマスク。
【請求項２】
前記スリットは、着用者が前記マスクを着用したときに着用者の口と対向又は近接する位置に設けられることを特徴とする、請求項１に記載のマスク。
【請求項３】
前記遮蔽部は、前記スリットの上側から該スリットに覆い被さるように前記本体部に一体に形成されていることを特徴とする、請求項１又は２に記載のマスク。
【請求項４】
前記スリットが前記本体部の縦方向に設けられ、前記遮蔽部が該スリットを上方から覆い被さるよう本体部の外表面に横方向の折り目としてプリーツ加工により形成されており、前記スリットの上端が前記折り目の内側で係止され、これにより着用時に遮蔽部がスリットに覆い被さる状態を保持するように形成されていることを特徴とする、請求項１から３のいずれか一項に記載のマスク。
【請求項５】
前記スリットは、前記遮蔽部に覆い被される位置で前記本体部に横方向の切り込み線として設けられることを特徴とする、請求項１から３のいずれか一項に記載のマスク。
【請求項６】
前記スリットは、前記遮蔽部に覆い被される位置で前記本体部に縦及び横方向のＴ字状又は十字状の切り込み線として設けられ、これにより着用時に遮蔽部がＴ字状又は十字状のスリットに覆い被さる状態を保持するように形成されていることを特徴とする、請求項１から３のいずれか一項に記載のマスク。
【考案の詳細な説明】
【技術分野】
【０００１】
本考案は、着用した状態で飲料を補給できるマスクに関する。
【背景技術】
【０００２】
従来から花粉などの微粉塵に対する防御対策として、また、ウイルスや細菌などの感染対策として、本体部と耳掛け部を備えたマスクが使用されている。マスクにはプリーツ型や立体型など種々の形状やデザインを施したものが知られている（例えば、特許文献１、２参照）。
【先行技術文献】
【特許文献】
【０００３】
【特許文献１】特許第６４７３８６０号公報
【特許文献２】特開２０２０−０８４３８８号公報
【考案の概要】
【考案が解決しようとする課題】
【０００４】
コロナウイルス禍にある我が国の現状においては、マスクは感染予防の観点から重視されている。しかしながら、マスクを長時間に渡って着用し続けることは喉の渇きや水分不足に陥り、とくに気温が高くなる夏季には、ウイルスへの防御とともに、熱中症予防や健康維持のため水分補給が重要である。例えば、患者の前でマスク着脱が難しい医療従事者や、歩行中又は作業中にもマスクを着用しなければならないような場合、水分補給が困難である。さらには、水分補給を奨励されているものの着脱を負荷と感じるお年寄りからは、マスクを着用した状態で水分補給をおこないたいといった要望がある。
【０００５】
しかしながら、上述の従来のマスクでは、防疫の観点から着用者の口と鼻を密着して覆うように耳掛け部をゴム材で伸縮可能に形成し、この耳掛け部の長さを調整することで、マスクの周囲に隙間ができないようにして装着するようにしているため、着用したままで飲料水を補給することは実質的に不可能である。例えば、マスクの下部から強引にストローを差し込もうとしても、ストローが折損したり或いは唇などを傷つけてしまうことにもなりかねない。そのため、水分を摂るためには、マスクを一旦外して補給しなければならなかった。
【０００６】
そこで本考案は、感染予防というマスク本来の機能を阻害することなく、着用した状態で水分補給を可能とするマスクを提供することを目的とする。
【課題を解決するための手段】
【０００７】
上記目的を達成するため、請求項１に記載の考案は、着用者の口および鼻を覆う本体部と本体部に接続された耳掛け部とを備えたマスクにおいて、本体部は、ストローを挿入し得るスリットと、スリットを塞ぐ遮蔽部と、を備える。
【０００８】
前記スリットは、着用者がマスクを着用したときに着用者の口又はその近傍と対向する位置に設けられる。
【０００９】
遮蔽部は、好ましくは、スリットの上側からスリットに覆い被さるように本体部に一体に形成されている。さらに、スリット自体又はその周囲がゴム部材で縁取りされていてもよい。
【００１０】
スリットが本体部の縦方向に設けられ、遮蔽部がスリットを上方から覆い被さるよう本体部の外表面に横方向の折り目としてプリーツ加工により形成されるとともに、スリットの上端が折り目の内側で係止されていれば、着用時に遮蔽部がスリットに覆い被さる状態を保持できるので好ましい。
【００１１】
スリットが、横方向の切り込み線として遮蔽部に覆い被される位置に設けられていれば、着用時に遮蔽部がスリットに覆い被さる状態を保持できるので好ましい。
【００１２】
スリットが、本体部に縦及び横方向のＴ字状又は十字状の切り込み線として遮蔽部に覆い被される位置に設けられていれば、着用時に遮蔽部がＴ字状又は十字状のスリットに覆い被さる状態を保持できるので好ましい。
【考案の効果】
【００１３】
本考案によれば、本体部にスリットが設けられているので、着用者はマスクを着用した状態で水分補給をおこなうことができる。かつ、本体部にはスリットを塞ぐ遮蔽部が設けられているので、着用中、スリットは遮蔽部に覆われて外気に直接接しない。また、着用者が水分補給をおこなっている間も感染予防というマスク本来の機能は阻害されない。即ち、本考案によれば、感染予防というマスク本来の機能を阻害することなく、着用した状態で水分補給を可能とするマスクを提供することができる。
【図面の簡単な説明】
【００１４】
【図１】実施形態に係るマスクの正面図である。
【図２】実施形態に係るマスクの遮蔽部を拡げ、スリットを露出したときの正面図である。
【図３】実施形態に係るマスクの背面図である。
【図４】図１のＡ−Ａ部における断面図である。
【図５】実施形態に係るマスク使用時の斜視図である。
【図６】（ａ）〜（ｃ）は遮蔽部を拡げた状態において、スリット形状の代表的な例を示す正面図である。
【考案を実施するための形態】
【００１５】
以下、本考案の実施形態について図を用いて詳細に説明する。
図１に示すように、マスク１は本体部１０と耳掛け部１１とを備えるとともに、さらにスリット１２と遮蔽部１３とを備えている。ここで、「スリット」とは、マスク本体部に設けられた切り込み線又は切れ目をいい、縦方向のみならず横方向に入れた切り込み線又は切れ目であっても、或いは縦及び横方向にＴ字状又は十字状に入れた切り込み線又は切れ目であってもよい。スリットは、マスクの本体部１０を切り込んで内面側に貫通して設けられている。このスリット１２は、マスク着用時にスリットの隙間が閉じていることが好ましいが、後述するストローを差し込み得る程度の隙間の孔として形成されていてもかまわない。
【００１６】
マスク１は、本体部１０と耳掛け部１１から成る。本体部１０は左右両端部が筒状に形成され、耳掛け部１１は本体部１０の左右両端部の筒部に掛止されている。着用者はマスク１の耳掛け部１１を耳に掛止することによって着用状態を保持する。
【００１７】
マスクの本体部１０は防疫の観点から、鼻梁から顎部を覆うとともに、左右の頬部を包み込むよう略長方形状に外側を膨出して形成され、例えば男性用のマスクは横２２ｃｍ程度、縦１１．５ｃｍ程度に、女性用は横１８ｃｍ程度、縦９．５ｃｍ程度につくられている。もっとも、マスク１の形状は略長方形に限られず、ファッション性を考慮して他の形状であっても良い。
【００１８】
本体部１０は綿布や紙などで、２枚重ね又は複数枚を重ね合わせ、柔らかい肌触りの不織布により形成されている。耳掛け部１１は、マスク１の着用の際、塵埃や細菌・ウイルスなどの侵入を防ぐよう、着用者の顔及び鼻を完全に隙間なく覆うために通常、ゴム材で伸縮自在に形成されている。この耳掛け部１１を伸張して両耳に引っ掛けて着用することで、マスクの周囲全体が使用者の顔面に密着して外気の直接的な侵入を防いでいる。なお、本体部１０および耳掛け部１１の素材は、装着時に着用者の顔に隙間が生じないよう密着して保持される形状や素材で作られていれば、これらに限定されるものではない。
【００１９】
本考案に係るマスク１は、本体部１０にスリット１２を備えており、さらに、このスリット１２を覆う遮蔽部１３を備えている。スリット１２は本体部１０の左右幅方向のほぼ中央に設けられている。具体的には、着用者がマスクを着用した時に口と対向する位置近傍に設けられているのが好ましい。
【００２０】
本実施の形態では、スリット１２は本体部１０の縦方向に設けられているが、後述するように、横方向に設けられていても良いし、縦及び横方向のＴ字状又は十字状に設けられていても良い。
【００２１】
スリット１２は所定の幅を有する。具体的には、スリット１２はストローを挿入し得る幅であればよいが、本体部１０の素材によってはストローの直径又は円周以下のサイズであっても、ストローが強制的に挿入できればかまわない。ストローは飲料を吸引するほか、例えばタピオカジュースなどの固形物をも吸引できる比較的大きな口径のもの、吸い口付近が蛇腹状で折り曲げ又は湾曲可能なものなど、種々のものが市販されているが、スリット１２は何れの種類のストローでも挿入可能に形成され、本考案はストローの形状やサイズなどにより制限を受けるものではない。
【００２２】
スリット１２は、通常の着用状態では露出されないよう遮蔽部１３に上側から塞がれている。本実施の形態では、遮蔽部１３は、図１に示すように、プリーツにより本体部１０と一体に本体部１０を横断する方向に形成される。図２に示すように、遮蔽部１３の両端は本体部１０の左右両端部に縫合されている。
【００２３】
次に、マスクの遮蔽部１３となるプリーツを製作する場合の一例を説明する。
以下の例では、適宜のサイズに成形した不織布に、予め縦方向のスリット１２を形成したものを用いて遮蔽部１３を形成するものとする。ここで、適宜のサイズとは、本体部１０となる縦幅のサイズに加えて、プリーツとなる幅分を足した合計長さの縦幅をいう。本体部１０の横幅となる長辺は着用者の左右の顎部又はこめかみ付近に至る長さとする。
まず、本体部１０に形成された縦スリット１２の上端近傍から、本体部１０となる不織布を横断方向に谷折りし、谷折り線１０ｂを形成する。次に、この谷折り線１０ｂの上側、例えば１０ｍｍ〜２０ｍｍ程上側に、プリーツとなる不織布を横断方向に山折りし、山折り線１０ａを形成する。そして、この山折り線１０ａを、上記スリット１２を覆うように上記谷折り線１０ｂから折り返すことで、本体部１０の下側に向かったプリーツが完成する。このプリーツの左右両端を縫合することで、このプリーツが遮蔽部１３として機能する。
【００２４】
スリット１２を縦方向に所定寸法、例えば８ｍｍ程度に形成する場合、プリーツの上下方向の幅が１０ｍｍ程度であれば、縦スリットを十分覆い隠すことができ遮蔽部１３として機能し得る。なお、スリットを横方向に形成する場合は、プリーツ横方向のサイズを少なくとも１０ｍｍ以上設ければよい。
【００２５】
本実施の形態では、スリット１２は縦方向に形成され、この縦スリット１２は遮蔽部１３の内側に位置する谷折り線１０ｂの中央から下方に向かって５〜１０ｍｍ程度の長さで形成されている。前述のように、山折り線１０ａと谷折り線１０ｂとでプリーツが形成され、このプリーツの下部が少なくともスリット１２の下方に位置してこれを覆い隠すことで、遮蔽部１３を構成している。
【００２６】
ここで、谷折り線１０ｂはスリット１２の上端近傍に位置し、山折り線１０ａはスリット１２の下端よりさらに下側に位置するように設けられている。このようにして、遮蔽部１３は本体部１０に一体に形成され、スリット１２は遮蔽部１３により被覆される。
【００２７】
図２及び図３に示すように、スリット１２の上端又は上端より若干上側において、本体部１０に形成された谷折り線１０ｂの中央で、本体部１０と遮蔽部１３とが糸等で縫い合わされて係止点１４にて係止されている。図４に示すように、スリット１２の上端側で本体部１０を遮蔽部１３に係止点１４にて係止することにより、マスクを着用したときに、プリーツの中央部が下方へ伸びてしまうことが阻止され、スリット１２の遮蔽部１３からの露出が阻止される。
【００２８】
換言すると、スリット１２の上端は谷折り線１０ｂより下側に位置することがなく、スリット１２の下端は山折り線１０ａを超えることがない。即ち、遮蔽部１３はスリット１２に覆い被さるように形成され、スリット１２が遮蔽部１３によって塞がれて露出せず、直接外気に触れない状態が保持される。
【００２９】
図４に示すように、遮蔽部１３は両端で本体部１０に縫合され中央部は縫合されていない。このため、図５に示すように着用者はマスク１を着用したまま、ストロー１５を、遮蔽部１３の中央部を上方に上げて本体部１０の隙間からスリット１２へ挿入して水分補給をおこなうことができる。水分を摂っている状態でもスリット１２は遮蔽部１３によって塞がれて外気に直接接しないため、感染予防というマスク本来の機能は阻害されない。
【００３０】
なお、本考案のマスクは、上述した実施形態に制限されることなく、本考案の目的、趣旨を逸脱しない範囲内において、実施形態の技術や当該技術分野の公知の技術を用いた組合せや置換等が可能である。
例えば、スリットは、図６に示すように種々の形状とすることができる。図６（ａ）のように横方向に形成したスリット２２であってもよい。または、図６（ｂ）に示すようにＴ字状スリット３２であっても、図６（ｃ）のように十字状スリット４２であってもよい。スリットを縦及び横方向のＴ字状又は十字状に形成する場合、プリーツの上下方向の幅が１０ｍｍ程度であれば、上記種々のスリットを十分覆い隠すことができる。スリットをＴ字状又は十字状に形成すると、マスクの着用状態でストローを口元にもっていく場合、縦又は横の一方向のスリットに比べてストローを一層容易に差し込むことができる。
【００３１】
上述の実施の形態では、遮蔽部１３をプリーツにより形成した例を用いて説明したが、本体部１０とは別体の綿布（図示省略）で形成してもよい。この場合は、好ましくは、スリット１２を隠蔽し得るサイズの綿布等を用意し、これを本体部１０の外表面側に当てて上端をスリット１２の上方で縫合してスリット１２を遮蔽するようにすればよい。
【００３２】
上記では遮蔽部１３として、本体部１０に一体形成したプリーツの用語を用いて説明したが、これらの用語は、襞、折り目又はダーツなどと同義語であり均等である。なお、プリーツは本体部とは異なる布やシートを用いて本体部に縫合などにより取り付けてよいことは明らかである。
なお、伸縮性又は弾力性のあるゴム材などによって作ったスリット１２の縁取りを、遮蔽部１３としてもよい。この場合は、通常の着用時にはスリット１２は縁取りとしての遮蔽部１３が収縮状態にあるのでスリット１２は密着して閉じており、ストローを差し込むときに縁取りとしての遮蔽部１３を強制的に広げてスリット１２を拡げるようにすればよい。ただし、着用時に着用者の動きによってこのスリット１２が拡がる恐れもあるので、補助的な第２の遮蔽部１３としての利用が好ましい。
【符号の説明】
【００３３】
１    マスク
１０  本体部
１０ａ  山折り線
１０ｂ  谷折り線
１１  耳掛け部
１２，２２，３２，４２  スリット
１３  遮蔽部
１４  係止点
１５  ストロー
【図１】
0003227801.tif 000003
【図２】
0003227801.tif 000004
【図３】
0003227801.tif 000005
【図４】
0003227801.tif 000006
【図５】
0003227801.tif 000007
【図６】
0003227801.tif 000008